(57)【要約】  本発明は、スマートフォン等のタッチパッドを利用する機器において、ハングル及びその他の文字をより便利に入力するための発明である。本発明は、シフト（Ｓｈｉｆｔ）キーまたはそれに対応する別途の機能なしに直ちに同一ボタンに割り当てられている次の文字を選択できるようにする発明である。本発明は、既存に同じボタンに共に割り当てられている文字の入力のために、Ｓｈｉｆｔキーや待機時間内に同じボタンを連続して押す代わりに該当文字を押している状態で画面をどこでもタッチすると、次に割り当てられた文字が選択されるようにするものである。本発明を通して、使用者は、文字を入力するにあたって文字盤を変更する必要が減り、一つの単語または一つの文章を完成するにあたって既存の入力方式より入力すべきボタンの回数が減り、待機時間が減るようになることで、より便利で早く所望の単語と文章の完成が可能となる。【特許請求の範囲】
【請求項１】
タッチパッドを使用して文字を入力する方法において、選択されたボタンを押している状態で周辺の画面をどこでもタッチすることで、選択されたボタンに割り当てられた次の文字が選択され得るようにすることを特徴とする、タッチパッド文字入力方法。
【請求項２】
各ボタンに対応する２列、３列等の文字列を英文大文字、小文字等に対応するように設定し、韓英切り換えまたは大小文字切り換え選択なしに入力が可能となるようにすることを特徴とする、請求項１に記載のタッチパッド文字入力方法。
【発明の詳細な説明】
【技術分野】
【０００１】
本発明は、韓国特許庁に同一名で出願番号１０−２０１３−０１３５９６４として特許出願されており、優先権を主張しようとする。
【０００２】
本発明は、タッチパッドを利用して文字を入力する方法に関し、さらに詳細には、スマートフォンやタッチパッドを利用して文字を入力する方式を用いる機器で一つのボタン、即ち、文字を選択したとき、指を離さずに押している状態で周辺を他の指でまたタッチした場合、コンピュータキーボードのＳｈｉｆｔ機能のように、同一キーに割り当てられた次の文字が入力されるようにして、文字入力において待機時間を減らすことができる方法である。
【背景技術】
【０００３】
既存のタッチパッドを用いた文字入力方法の場合、例えば、英文「Ａ、Ｂ、Ｃ」やハングル
2016541080.tif 000002
が一つのボタンに属している場合、英文「Ａ」の入力後、「Ｂ」を入力しようとするか、またはハングル
2016541080.tif 000003
を入力した後、
2016541080.tif 000004
を直ちに引き続き入力するためには、一定時間を待機して使用しなければならない不便があり、または英文「Ｂ」やハングル
2016541080.tif 000005
の入力のために、待機時間が過ぎる前に早く該当ボタンを再び押さなければならない不便があったが、本発明を通して、文字入力において待機時間という概念そのものが不要となることで、それに伴う不便を解消することができる。
【０００４】
また、英文「Ａ、ａ」が割り当てられているキーの場合、基本設定以外に次のキーを選択するためには、「Ｓｈｉｆｔ＋Ａ」を押さなければならない不便があったが、本発明の方式を用いると、「Ｓｈｉｆｔ」キーを使用せずに直ちに簡便に入力することができる。
【発明の概要】
【発明が解決しようとする課題】
【０００５】
一般に、タッチパッドを利用して文字を入力する場合に、該当選択されたキーの２番目、３番目の文字を入力するためには、待機時間以内に再びボタンを押すか、または連続して使用するためには、待機時間が過ぎるまで待たなければならない不便が存在している。
【０００６】
また、一つのボタンに過度に多くの文字を属するようにすると、待機時間が長くなりすぎたり、ボタンを過度に多く押さなければならない不便のため、コンピュータキーボードのＳｈｉｆｔ機能や対応する文字盤（ハングル、英文、特殊文字等）を変更しなければならない不便等が存在し、これは、使用上の困難や入力をするにあたってタイピングミスを発生させる主要原因の一つであり、大きな不便がある。
【０００７】
そこで、本発明は、前記のような問題点を解消するために考案されたものであって、選択されたボタンを押している状態で周辺をどこでもさらに押す場合、該当ボタンに属している次の文字が選択され得るようにして、待機時間による様々な問題及び文字盤（ハングル、英文、特殊文字）の選択のための不要な時間を節約することができる。
【課題を解決するための手段】
【０００８】
前記目的を達成するための本発明は、タッチパッドで文字入力のためにボタンを選択し、１番目の文字ではなく、２番目に割り当てられた文字またはハングル文字盤であるが、英文や特殊文字を入力しようとした場合、周辺の画面をどこでも選択して、そのボタンに割り当てられた次の文字を選択できるようにするものである。
【０００９】
このようなボタン入力方式を通して、使用者は、文字入力のために待機時間を持つ必要がなく、単に一つの文字を入力するために文字盤を変更するような不便と時間を投資する必要なく、さらに安らかで早く文字を使用できるようにすることが目的である。
【発明の効果】
【００１０】
上述したように、本発明による文字入力方法でタッチパッドを用いて文字を入力する使用者は、連続して同一文字を使用するために待機時間を持つ必要がなく、また、一つのボタンに対応した次の文字の入力のために待機時間内に早く再びボタンを押すか、または待機時間を超えて前の文字を消して、また文字を選択して使用しなければならない不便を経験しなくてもよい。
【００１１】
また、文字の入力過程でハングル文字盤を使用しているうちに、一つの特殊文字または英文大文字、小文字等の選択のために数回文字盤を変更したりする面倒さを感じる必要がなくなるものであり、本発明による文字入力方法は、使用者の不便と時間を画期的に減らすことのできる非常に有用で効果的な発明である。
【発明を実施するための形態】
【００１２】
本発明は、一つのキーに割り当てられた「Ａ、ａ」等の値を「Ｓｈｉｆｔ」キーや文字盤の変更なしに該当キーを押した状態でどこでもさらにタッチした回数により所望の文字を入力できるようにするものであって、スマートフォンやタッチパッド等で既存に完成して使用されている文字盤関連のアプリケーションや機器のソフトウェアで新たな入力形態と関連した処理部分のプログラミングを追加するだけでも簡単にアップグレードして用いることができる。
【００１３】
以下、本発明の好ましい実施例を下記のように説明する。
【００１４】
また、本実施例は、本発明の権利範囲を限定するものではなく、単に例示として提示されたものであり、その技術的要旨を外れない範囲内で様々な変更が可能である。
【００１５】
本発明に係る機能を具現するためには、二つの設定が必要となる。
【００１６】
第一は、ボタンを押してから外すのではなく、押している場合、コンピュータキーボードのＳｈｉｆｔボタンのように、該当選択されたキーに対応する文字が選択され得るようにすることである。
【００１７】
第二は、ボタンを押している状態で周辺のどの画面でもさらにタッチがなされた場合、その回数によって押しているボタンに対応する文字の順序が選択されるようにすることである。
【００１８】
タッチパッドキーボードを例に挙げると、文字盤
2016541080.tif 000006
には、対応する文字
2016541080.tif 000007
が割り当てられている。
【００１９】
これをタッチパッドハングル文字盤で該当ボタンを１回押すと
2016541080.tif 000008
が選択され、待機時間以内に再び該当ボタンを押すと
2016541080.tif 000009
が表示され、「Ｒ」を入力するためには、文字盤を英文に変更しなければならず、このとき、大小文字を再び選択しなければならない。
【００２０】
しかし、本発明においては、各ボタンに基本的に母音と子音を割り当て、対応する次の文字としては硬音等を割り当て、３番目には英文大文字、４番目には英文小文字を割り当てるようになると、使用者は、いかなる設定変更や待機時間なしに全ての文字をそのまま入力できるようになる。
【００２１】
一例として、
2016541080.tif 000010
を入力しようとするならば、
2016541080.tif 000011
ボタンを押している状態で周辺をどこでもさらに１回タッチすると、２番目の配列文字である
2016541080.tif 000012
が選択され、２回をタッチすると、３番目の配列である英文大文字「Ｒ」が、３回を選択すると、４番目の配列である英文小文字「ｒ」が選択されることとなるものである。
【００２２】
このとき、特殊文字等は、５番目の配列に定めるか、または硬音等の入力空間が空いている
2016541080.tif 000013
等に割り当てるようになれば、特殊文字までさらに簡単に使用できるようになる。
【００２３】
また、各ボタンに割り当てられる配列の種類を使用者が追加または選択できるようにすれば、ハングル、英文だけでない、日本語や中国語文字盤までいっぺんに全て使用することができ、頻繁に使用する特殊文字等をさらに変更できるようにすれば、既存の不便を大きく解消でき、使用上の便宜性や時間短縮に非常に大きな効果を奏することができる。
【産業上の利用可能性】
【００２４】
本発明は、全く新たな形態のものを作るのではなく、既存のスマートフォンやタッチパッド等で使用している文字盤入力ソフトウェアまたはアプリケーション（アプリ）等に本発明の機能を追加するだけで、さらに便利で早いキー入力を提供することはもちろん、「Ｓｈｉｆｔ」キーの機能が不要となることで減るようになるキーをウィンドウの開始キーと相応する機能のファンクションキーとして使用できるようになり、単にキー入力の便宜や時間節約以外にも多様な活用性と可能性を提供できるようになる。
【国際調査報告】
2016541080.tif 000014
2016541080.tif 000015
2016541080.tif 000016
2016541080.tif 000017